(57)【要約】      （修正有）【課題】簡素な構造ながら、網に付着して生育するモズクの収穫量および品質を高めることができるモズク養殖用網を提供する。【解決手段】モズク養殖用網１は、複数の紐３がその中間部およびその端部で互いに交差された状態で固定されて帯状かつ格子状に設けられる網地本体２と、網地本体２の端縁部に配設される縁ロープ部６と、を含む。紐３は、第１繊維材が複数織編されて形成される束４が複数組み合わせられる組紐である。第１繊維材は、ポリアミド系合成繊維である。【選択図】図１
0003232190.tif 000002
【実用新案登録請求の範囲】
【請求項１】
複数の紐がその中間部およびその端部で互いに交差された状態で固定されて帯状かつ格子状に設けられる網地本体と、
前記網地本体の端縁部に配設される縁ロープ部と、を含み、
前記紐は、第１繊維材が複数織編されて形成される束が複数組み合わせられる組紐であり、
前記第１繊維材は、ポリアミド系合成繊維である、
モズク養殖用網。
【請求項２】
前記第１繊維材は、ナイロン６である、
請求項１に記載のモズク養殖用網。
【請求項３】
前記縁ロープ部は、第２繊維材が複数織編されて形成される束が少なくとも１本組み合わせられる組紐であり、
前記第２繊維材は、ポリエチレン系合成繊維である、
請求項１または２に記載のモズク養殖用網。
【請求項４】
前記第２繊維材は、ポリエチレンテレフタレート樹脂である、
請求項３に記載のモズク養殖用網。
【請求項５】
前記網地本体の前記束の径は、前記縁ロープ部の前記束の径よりも細く形成される、
請求項１〜４のいずれか１つに記載のモズク養殖用網。
【考案の詳細な説明】
【技術分野】
【０００１】
本考案は、モズクの養殖場において、その胞子を付着させて養殖するのに適したモズク養殖用網に関する。
【背景技術】
【０００２】
モズクは、浅瀬の海中で養殖される。その養殖はモズク養殖用網を帯状に展張した上でこのモズク養殖用網にその胞子を付着させた状態で行われる。そして、モズク養殖用網に付着して養殖された海藻類は作業船などによって最終的に摘み取りされて収穫される。そのモズク養殖用網に付着された胞子を養殖するには、一般に海中に立設された支柱にモズク養殖用網の隅部を結束し、モズク養殖用網を海面と略平行に展張した状態で行われる。また、モズク養殖用網は、複数の紐がその中間または端部で互いに結束して帯状かつ格子状に設けられる網地本体と、その網地本体の端縁部に配設される縁ロープ部と、を含んで構成される。
【０００３】
そして、モズクなどの海藻類の養殖方法では、海藻類の収穫量や品質を向上させるため、例えばリンや窒素などを含む栄養分をその肥料として養殖用網周辺に投与することがよく行われる。リンは海藻類の成長促進を図り、窒素は海藻の色落ちを防止するものとして使用される。しかしながら、海中ではその海流は変則的でありかつその流れも速い。そのため、海藻類の海中養殖は野菜などの陸上での栽培とは異なって、海流により投与した栄養分が海藻養殖用網付近から遠くへ流出する場合もあり、その効果は限定的であった。
【０００４】
そこで、モズクなどの海藻類の収穫量を効率良く向上させるため、海藻養殖用網を構成する紐の繊維素材自体に工夫を凝らしたものが知られる（例えば、特許文献１参照）。特許文献１の養殖用網では、紐の繊維の表面に栄養塩を含羞する樹脂層が設けられており、海中への浸漬によってその樹脂層中の栄養塩が徐放されるように構成される。
【先行技術文献】
【特許文献】
【０００５】
【特許文献１】特開２００３−１５８９２９号公報
【考案の概要】
【考案が解決しようとする課題】
【０００６】
しかしながら、前記特許文献１の養殖用網は紐の繊維素材自体を工夫して海藻養殖時の肥料効率を上げて生産性と品質の向上を図っているものの、その使用頻度が複数回に亘る場合、複数回の使用後では樹脂層中の栄養塩が減少または枯渇する可能性がある。減少または枯渇した状態で使用した場合、初回での使用で養殖されたモズクと比べ品質が劣る恐れがある。また、モズクの養殖に特化した養殖用網の構成については具体的に言及されていない。前記特許文献１は、モズク養殖用網として、改善の余地があったと言える。
【０００７】
さらに、海藻養殖用網は、前述したように作業船などによって船上（海上）に引き上げられて回収され、その網に付着した海藻類が摘み取られた後、再利用可能に保守や修理が行われる。そのため、保守や修理を容易にするため、養殖用網の構成を改善する場合でもその構造は簡素であることが望ましい。
【０００８】
本考案は、上述した事情に鑑みてなされたものであり、簡素な構造ながら、網に付着して生育するモズクの収穫量および品質を高めることができるモズク養殖用網を提供することを目的とする。
【課題を解決するための手段】
【０００９】
本考案の前述した目的は、後記の構成により達成される。
（１）複数の紐がその中間部およびその端部で互いに交差された状態で固定されて帯状かつ格子状に設けられる網地本体と、前記網地本体の端縁部に配設される縁ロープ部と、を含み、前記紐は、第１繊維材が複数織編されて形成される束が複数組み合わせられる組紐であり、前記第１繊維材は、ポリアミド系合成繊維である、モズク養殖用網。
（２）前記第１繊維材は、ナイロン６である、（１）に記載のモズク養殖用網。
（３）前記縁ロープ部は、第２繊維材が複数織編されて形成される束が少なくとも１本組み合わせられる組紐であり、前記第２繊維材は、ポリエチレン系合成繊維である、（１）または（２）に記載のモズク養殖用網。
（４）前記第２繊維材は、ポリエチレンテレフタレート樹脂である、（３）に記載のモズク養殖用網。
（５）前記網地本体の前記束の径は、前記縁ロープ部の前記束の径よりも細く形成される、（１）〜（４）のいずれか１つに記載のモズク養殖用網。
【考案の効果】
【００１０】
本考案によれば、簡素な構造ながら、網に付着して生育するモズクの収穫量および品質を高めることができる。
【００１１】
以上、本考案について簡潔に説明した。さらに、以下に説明される考案を実施するための形態（以下「実施形態」という。）を添付の図面を参照して通読することにより、本考案の詳細はさらに明確化されるだろう。
【図面の簡単な説明】
【００１２】
【図１】図１は、本考案の実施形態に係るモズク養殖用網を説明する概略平面図である。
【図２】図２は、図１に示すモズク養殖用網が海中に設置された状態を示す斜視図である。
【図３】図３は、図１に示す網地本体の紐の構成を説明する斜視図である。
【図４】図４は、図２に示す縁ロープ部の構成を説明する斜視図である。
【図５】図５は、図１に示す網地本体の第１繊維材についての赤外線吸収スペクトル測定の結果を示すグラフである。
【図６】図６は、図１に示す縁ロープ部の第２繊維材についての赤外線吸収スペクトル測定の結果を示すグラフである。
【考案を実施するための形態】
【００１３】
本考案のモズク養殖用網に関する実施形態について、各図を参照しながら以下に説明する。
【００１４】
ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために提供されるのであって、これらにより実用新案登録請求の範囲に記載の主題を限定することは意図されていない。また、添付図面のそれぞれは符号の向きに従って参照するものとする。
【００１５】
＜モズク養殖用網の全体構成およびその設置構造について＞
まず図１および図２を参照して、本考案に係る実施形態（以下「本実施形態」ともいう。）のモズク養殖用網１（以下「網」ともいう。）の全体構成について説明する。図１は、本実施形態に係る網１を説明する概略平面図である。図２は、図１に示す網１が海中に設置された状態を示す斜視図である。
なお、本実施形態では、網１で養殖される海藻類としてモズクを例示して説明するが、これに限定されない。本実施形態の網１を海苔などのその他の海藻類に適用してもよい。
【００１６】
図１に示すように、本実施形態の網１は、矩形平面状に形成される網地本体２と、この網地本体２の端縁部に配設される縁ロープ部６と、を含んで構成される。網地本体２は、複数の紐３がその中間部およびその端部で互いに結節交差した状態で固定される。この交差固定により、網地本体２は複数の結節交差部５を有して帯状且つ格子状に形成される。縁ロープ部６は、その全体の直径が網地本体２の紐３よりも太く設けられる。縁ロープ部６は、網地本体２の周縁部を囲うように配置される。
【００１７】
図２に示すように、本実施形態の網１は、海中において、海底から立設される複数の支柱９に取り付けられる。具体的には、網１において、その四隅と、長手方向の所定の複数箇所と、には吊りロープ１０がその基端で固定して取り付けられる。そして、吊りロープ１０はその先端で支柱９に固定して取り付けられる。このような取付固定により、網１は海底面（不図示）に対し略平行に展張される。
【００１８】
＜網地本体および縁ロープ部の紐の構成について＞
次に図３および図４を参照して、網地本体２および縁ロープ部６の紐３，７の構成について説明する。図３は、図１に示す網地本体２の紐３の構成を説明する斜視図である。図４は、図２に示す縁ロープ部６の構成を説明する斜視図である。
【００１９】
図３に示すように、網地本体２の紐３のそれぞれは、束４が複数（本実施形態では２本）組み合わせられる組紐である。この組紐により、凹凸が激しく形成されることになり、全体として表面積が大きく設けられるとともに、モズクの胞子の付着性を向上させることが可能となる。また、網地本体２において複数の束４のいずれも同じ繊維材（第１繊維材Ｆ１）のみが複数織編されて形成されて構成される。換言すれば、網地本体２の複数の束４は、１種類の繊維材のみから構成される。この第１繊維材Ｆ１は、ポリアミド系合成繊維であり、より好適にはナイロン６（ナイロンは登録商標）である。また、本実施形態では、網地本体２の繊維材（第１繊維材Ｆ１）は白色で設けられる。
【００２０】
図４に示すように、縁ロープ部６の紐７のそれぞれも同様に、複数（本実施形態では３本）の束８が複数組み合わせられる組紐である。縁ロープ部６の束８の径（直径）は、網地本体２の束４の径よりも太く形成される（換言すれば、網地本体２の束４の径は、縁ロープ部６の束８の径よりも細く形成される）。この３本の束８のうち２本は互いに同じ繊維材（第２繊維材Ｆ２）のみから構成されており、この第２繊維材Ｆ２は、ポリエチレン系合成繊維であり、より好適にはポリエチレンテレフタレート樹脂である。また、この第２繊維材Ｆ２も同様に白色に設けられる。そして、その３本のうち１本は、例えば、赤色のポリエチレン樹脂材（第３繊維材Ｆ３）および白色のポリエチレンテレフタレート樹脂材の、２種類の混合から構成される。
【００２１】
＜網地本体および縁ロープ部の繊維材の赤外線吸収スペクトル測定について＞
次に図５および図６を参照して、網地本体２および縁ロープ部６の繊維材（第１繊維材Ｆ１および第２繊維材Ｆ２）の赤外線吸収スペクトル測定について説明する。図５は、図１に示す網地本体２の第１繊維材Ｆ１についての赤外線吸収スペクトル測定の結果を示すグラフである。図６は、図１に示す縁ロープ部６の第２繊維材Ｆ２についての赤外線吸収スペクトル測定の結果を示すグラフである。
【００２２】
網地本体２の第１繊維材Ｆ１および縁ロープ部６の第２繊維材Ｆ２に対し赤外線吸収スペクトル測定を行った。測定機器としてＴｈｅｒｍｏ  Ｆｉｓｈｅｒ社製  Ｎｉｃｏｌｔｅ  ｉｓ５を用いて行った。また、測定方式については反射方式とした。図５に網地本体２の第１繊維材Ｆ１（ナイロン６）についての赤外線吸収スペクトル測定の結果を示す。図６に縁ロープ部６の第２繊維材Ｆ２（ポリエチレンテレフタレート樹脂）についての赤外線吸収スペクトル測定の結果を示す。
【００２３】
図５および図６に示すように、網地本体２の第１繊維材Ｆ１は、縁ロープ部６の第２繊維材Ｆ２と比べて波数がおおよそ２５００［ｃｍ-1］から３５００［ｃｍ-1］の範囲で異なる挙動を示していることが分かる。このような違いにより、網地本体２の網１にモズクの胞子が付着した際、よい生育環境を提供することが可能となる。
【００２４】
＜本実施形態の構成と利点について＞
以上説明したように本実施形態によれば、複数の紐３がその中間部およびその端部で互いに交差された状態で固定されて帯状かつ格子状に設けられる網地本体２と、網地本体２の端縁部に配設される縁ロープ部６と、を含む。紐３は、第１繊維材Ｆ１が複数織編されて形成される束４が複数組み合わせられる組紐である。第１繊維材Ｆ１は、ポリアミド系合成繊維である。また、本実施形態において、第１繊維材Ｆ１は、ナイロン６であるとよい。
【００２５】
また、本実施形態によれば、縁ロープ部６は、第２繊維材Ｆ２が複数織編されて形成される束８が少なくとも１本組み合わせられる組紐である。第２繊維材Ｆ２は、ポリエチレン系合成繊維である。また、本実施形態において、第２繊維材Ｆ２は、ポリエチレンテレフタレート樹脂であるとよい。
【００２６】
また、本実施形態によれば、網地本体２の束４の径は、縁ロープ部６の束８の径よりも細く形成される。
【００２７】
このため、簡素な構造ながら、網１に付着して生育するモズクの収穫量および品質を高めることができる。
【００２８】
以上で具体的実施形態の説明を終えるが、本考案の態様は上記実施形態に限定されるものではなく、適宜、変形、改良などが可能である。
【符号の説明】
【００２９】
１    ：網（モズク養殖用網）
２    ：網地本体
３    ：紐
４    ：束
５    ：結節交差部
６    ：縁ロープ部
７    ：紐
８    ：束
９    ：支柱
１０  ：吊りロープ
Ｆ１  ：第１繊維材
Ｆ２  ：第２繊維材
Ｆ３  ：第３繊維材
【図１】
0003232190.tif 000003
【図２】
0003232190.tif 000004
【図３】
0003232190.tif 000005
【図４】
0003232190.tif 000006
【図５】
0003232190.tif 000007
【図６】
0003232190.tif 000008